(57)【要約】【課題】部品点数および組み立て工数の削減を図る。【解決手段】内容器８にはフェライトピース１０取り付け用の受け部８ａを中心部側に設けるとともに側面部側に貫通穴８ｂを設け、一方フェライトピース１０の一端側には前記受け部８ａに嵌合する凸部１０ｂを設けるとともに他端側にはアーム部１０ｄを立ち上げ、その先端の平坦部１０ｅに前記貫通穴８ｂに嵌合する突状のボス１０ｃを設けた構成となし、さらにフェライトピース１０を内容器８に取り付けるに際しては、フェライトピース１０の凸部１０ｂを内容器８の受け部８ａに差し込んだ後、フェライトピース１０のボス１０ｃを内容器８の貫通穴８ｂに嵌め込み、フェライトピース１０を仮止めし、固定してなるジャー炊飯器。【選択図】　図２
2004113559.tif 000002
【特許請求の範囲】
【請求項１】
本体（１）と、本体（１）に着脱自在に収納される内釜（２）と、内釜（２）を収容する内容器（８）と、内容器（８）の下部外面に配置する誘導加熱コイル（９）と、誘導加熱コイル（９）に対して放射状に配置する複数のフェライトピース（１０）と、誘導加熱コイル（９）を制御する制御部（５）と、制御部（５）へ入力操作するための操作部（４）と、本体（１）の底部外郭を形成する底板（１１）とを備えたジャー炊飯器において、前記内容器（８）にはフェライトピース（１０）取り付け用の受け部（８ａ）を中心部側に設けるとともに側面部側に貫通穴（８ｂ）を設け、一方フェライトピース（１０）の一端側には前記受け部（８ａ）に嵌合する凸部（１０ｂ）を設けるとともに他端側にはアーム部（１０ｄ）を立ち上げ、その先端の平坦部（１０ｅ）に前記貫通穴（８ｂ）に嵌合する突状のボス（１０ｃ）を設けた構成となし、さらにフェライトピース（１０）を内容器（８）に取り付けるに際しては、フェライトピース（１０）の凸部（１０ｂ）を内容器（８）の受け部（８ａ）に差し込んだ後、フェライトピース（１０）のボス（１０ｃ）を内容器（８）の貫通穴（８ｂ）に嵌め込み、フェライトピース（１０）を仮止めし、固定することを特徴とするジャー炊飯器。
【請求項２】
前記フェライトピース（１０）のアーム部（１０ｄ）はバネ性を有していることを特徴とする請求項１記載のジャー炊飯器。
【請求項３】
前記フェライトピース（１０）の平坦部（１０ｅ）の端部は、本体リング（１ａ）と底板（１１）にて挟み込みネジ（１２）にて共締めし、固定する構成としたことを特徴とする請求項１記載のジャー炊飯器。
【発明の詳細な説明】
【０００１】
【発明の属する技術分野】
本発明は、一般家庭用および業務用に使用する炊飯・保温兼用のジャー炊飯器に関するものである。
【０００２】
【従来の技術】
従来の、この種のジャー炊飯器は図４に示すような構成が知られている。
【０００３】
図４において、１は炊飯器の本体、２は本体１の上面開口部に着脱自在に収納された内釜、３は内釜２の上面開口部を覆い開閉自在に構成する蓋体である。５は加熱装置である誘導加熱コイル９を制御するための制御部、４は制御部５へ入力操作するための操作部、７は内釜２の温度を検出する温度検出装置である。８は内容器であり、この内容器８の下部外面に前記した誘導加熱コイル９が配置されており、また、誘導加熱コイル９に対して放射状に複数のフェライトピース１０が取り付けられている。１１は本体１の底部の外郭を形成する底板である。
【０００４】
フェライトピース１０にはフェライト１０ａが内蔵されており、片側に凸部１０ｂを設け、内容器８にはそれを差し込む受け部８ａを設けるとともに、もう片方を内容器８に対してネジ１３にて固定している。さらに、前記内容器８を本体リング１ａと底板１１にて挟み込み、ネジ１２にて共締めしてある。
【０００５】
【特許文献１】「特開平１０−２０１６１２号公報」
そこで、近年では特開平１０−２０１６１２号公報の如く、炊飯器を組み立てるために使用するネジの数を削減し、フェライトコアとセンサを同時に取り付けることによって、部品点数および組み立て工数の削減を図るようにしたものが提案されている。
【０００６】
【発明が解決しようとする課題】
前記従来例の構成の炊飯器では、１つのフェライトピースを取り付けるために少なくとも１本のネジを使用しなければならず、フェライトピースは１台あたり複数個使用するので、その分ネジも必要となり、それぞれの取り付け位置に内容器に対して別個に取り付けなければならない。さらには、本体リングと底板に挟み込み、再度ネジにて固定するので、ネジの使用本数が増え、部品点数および組立工数が多くなるという問題があった。
【０００７】
そして、前記特開平１０−２０１６１２号公報は、このような問題点を改善するためのものである。しかしながら、この公報のものは保護枠に設けた受部やフェライトコアに設けた取付部の形状が複雑であり部品単価が高くなるものであった。また、フェライトコアはセンサ取付部材で押さえ込むものであり、それまでは保護枠の受部にぶら下がった状態になっており、センサ取付部材を取り付ける時にフェライトコアを保護枠側に押し付け取り付けるものであり、組み立てに時間がかかり、作業性の悪いものであった。
【０００８】
【課題を解決するための手段】
上記課題を解決するために本発明は、内容器にフェライトピース固定用の受け部を設けるとともに、フェライトピースには取り付け用の凸部を設け、さらにもう片側には、内容器に貫通穴を開けると共にフェライトピースにボスを設け、フェライトピースの凸部を内容器の受け部に差し込んだ後、ボスを内容器の貫通穴に差し込み仮止めするようにしたものである。その後、前記フェライトピースを取り付けた内容器を本体リングと底板にて挟み込み、共締めする構成としたものである。
【０００９】
本発明の構成によれば、内容器に対しフェライトピースの固定はネジを使用せずに仮固定が可能になり、従来必要であったフェライトピース固定用のネジを削減することができるので、部品点数を減らすことができ、さらには作業性が向上するものである。
【００１０】
【発明の実施の形態】
本発明のジャー炊飯器は、本体と、本体に着脱自在に収納される内釜と、内釜を収容する内容器と、内容器の下部外面に配置する誘導加熱コイルと、誘導加熱コイルに対して放射状に配置する複数のフェライトピースと、誘導加熱コイルを制御する制御部と、制御部へ入力操作するための操作部と、本体の底部外郭を形成する底板とを備えたジャー炊飯器において、前記内容器にはフェライトピース取り付け用の受け部を中心部側に設けるとともに側面部側に貫通穴を設け、一方フェライトピースの一端側には前記受け部に嵌合する凸部を設けるとともに他端側にはアーム部を立ち上げ、その先端の平坦部に前記貫通穴に嵌合する突状のボスを設けた構成となし、さらにフェライトピースを内容器に取り付けるに際しては、フェライトピースの凸部を内容器の受け部に差し込んだ後、フェライトピースのボスを内容器の貫通穴に嵌め込み、フェライトピースを仮止めし、固定するようにしたものである。
【００１１】
また、前記フェライトピースのアーム部はバネ性を有しているものであり、前記したボスを内容器の貫通穴に嵌め込む時、嵌め易くするようになっているものである。
【００１２】
さらに前記フェライトピースの平坦部の端部は、本体リングと底板にて挟み込みネジにて共締めし、固定する構成としたものである。
【００１３】
【実施例】
以下本発明の一実施例を図面に基づいて詳細に説明する。図１は本発明の一実施例を示すジャー炊飯器の断面図である。図２は同じく要部断面図であり、フェライトピース取り付け時の途中の状態図である。図３は同じく要部断面図であり、フェライトピース取り付け後の状態図である。
【００１４】
図において、１は炊飯器の本体であり、１ａは本体１と一体に形成されている本体リングである。２は本体１の上面開口部に着脱自在に収納された内釜、３は内釜２の上面開口部を覆い開閉自在に構成する蓋体である。５は加熱装置である誘導加熱コイル９を制御するための制御部、４は制御部５へ入力操作するための操作部、７は内釜２の温度を検出する温度検出装置である。８は内容器であり、この内容器８の下部外面に前記した誘導加熱コイル９が配置されており、また、誘導加熱コイル９に対して放射状に複数のフェライトピース１０が取り付けられている。１１は本体１の底部の外郭を形成する底板である。
【００１５】
フェライトピース１０にはフェライト１０ａが内蔵されており、樹脂モールドによりインサート成形されている。このフェライトピース１０は内容器８に固定するため、片側に差し込み用の凸部１０ｂを、もう片側にはクランク状に立ち上げたアーム部１０ｄとその上端に連なる平坦部１０ｅを有し、この平坦部１０ｅに内容器８の貫通穴８ｂに挿入するため突状のボス１０ｃを設けるとともに、さらにその外側に抜き穴１０ｆを設けてある。前記アーム部１０ｄにはバネ性があり、図２に示すｆの力を加えると左右にたわむものである。
【００１６】
また、内容器８には前記フェライトピース１０を固定するため、フェライトピース１０の凸部１０ｂ差し込み用の受け部８ａを設け、もう片側には、フェライトピース１０のボス１０ｃを差し込むための貫通穴８ｂを設けるとともに、さらにその外側にもう一つ本体リング１ａと底板１１とで締め付けるための抜き穴８ｃを設けてある。
【００１７】
ここで、図２、図３によりフェライトピース１０の取り付け方法を説明する。
【００１８】
まず、内容器８に誘導加熱コイル９を取り付ける。この状態では、誘導加熱コイル９は簡単に外れてしまうため、これを挟みこむようにフェライトピース１０を取り付ける。フェライトピース１０は、まず、内容器８に設けた受け部８ａに先端の凸部１０ｂを差し込む。次に、内容器８の貫通穴８ｂにフェライトピース１０のボス１０ｃを差し込む。このボス１０ｃは普通に取り付けようとするとボス１０ｃの寸法が長いため、内容器８の貫通穴８ｂに差し込むことができない。そこで、図２に示す矢印の方向に力ｆを加えることによって、フェライトピース１０のアーム部１０ｄはバネ性を有するので、容易にたわみ、ボス１０ｃが内容器８の貫通穴８ｂに入り込むようになる。ここで入れやすいようにボス１０ｃの先端を丸くＲ付けするのがよい。
【００１９】
内容器８の貫通穴８ｂに入り込んだボス１０ｃは、図３のように、重力により誘導加熱コイル９の重量を受けるが、アーム部１０ｄのバネ力によりボス１０ｃが内容器８の貫通穴８ｂの側面を押すことにより、ボス１０ｃが側面部に引っかかり、簡単には外れないようになる。
【００２０】
前記から分かるようにフェライトピース１０のボス１０ｃの長さは、短いと簡単に外れてしまい、長すぎると貫通穴８ｂに差し込むことができないので、フェライトピース１０のアーム部１０ｄのたわみ量を考慮して長さを設定する必要がある。
【００２１】
これにより、フェライトピース１０は内容器８に対して、ネジなしで固定することができ、最後に本体リング１ａのネジ受け部と底板１１により挟み込み、ネジ１２にて確実に固定するものである。この時、ネジ１２は底板１１の下方から底板１１の抜き穴、フェライトピース１０の抜き穴１０ｆ、内容器８の抜き穴８ｃを貫通して本体リング１ａのネジ受け部にネジ止め固定されるものである。
【００２２】
【発明の効果】
以上、本発明はこのような構成としたことにより、内容器に対しフェライトピースの固定はネジを使用せずに仮固定が可能になり、従来必要であったフェライトピース固定用のネジを削減することができるので部品点数を減らすことができ、さらには作業性が向上するものである。
【図面の簡単な説明】
【図１】本発明の一実施例を示すジャー炊飯器の断面図である。
【図２】同じく要部断面図である。
【図３】同じく要部断面図である。
【図４】従来例を示すジャー炊飯器の断面図である。
【符号の説明】
１：本体、１ａ：本体リング、２：内釜、４：操作部、５：制御部、８：内容器、８ａ：受け部、８ｂ：貫通穴、９：誘導加熱コイル、１０：フェライトピース、１０ｂ：凸部、１０ｃ：ボス、１０ｄ：アーム部、１０ｅ：平坦部、１０ｆ：抜き穴、１１：底板。
【図１】
2004113559.tif 000003
【図２】
2004113559.tif 000004
【図３】
2004113559.tif 000005
【図４】
2004113559.tif 000006